(57)【要約】【課題】ウエストバンドによるポケットの収容区間を確保し、後漏れの発生を抑制できる使い捨ておむつを提供する。【解決手段】使い捨ておむつ(10)は、吸収コア(31)と、吸収コアよりも肌対向面側に位置する肌面側シート(20)と、後胴回り域(S2)において、肌面側シートよりも肌対向面側に位置し、幅方向に伸縮するウエストバンド(80)と、を有する。ウエストバンドは、肌面側シートに対して起立可能に構成された起立部（85）と、起立部及び吸収コアよりも幅方向の外側において起立部の起立支点となる第１基端縁(87I)と、起立部よりもウエスト開口側において起立部の起立支点となる第２基端縁(84F)と、を有する。使い捨ておむつの伸長状態における第１基端縁と吸収コアの前記幅方向の距離をＳとし、伸長状態における起立部の前後方向の長さをＹとすると、Ｓ≧Ｙを満たす。【選択図】図４
2020000748.tif 000002
【特許請求の範囲】
【請求項１】
互いに直交する前後方向及び幅方向と、
前胴回り域、後胴回り域、及び前記前胴回り域及び前記後胴回り域との間に配置された股下域と、
吸収コアと、
前記吸収コアよりも肌対向面側に位置する肌面側シートと、
前記後胴回り域において、前記肌面側シートよりも肌対向面側に位置し、前記幅方向に伸縮するウエストバンドと、を有し、
前記ウエストバンドは、前記肌面側シートに対して起立可能に構成された起立部と、前記起立部及び前記吸収コアよりも前記幅方向の外側において前記起立部の起立支点となる第１基端縁と、前記起立部よりもウエスト開口側において前記起立部の起立支点となる第２基端縁と、を有する使い捨ておむつであって、
前記使い捨ておむつの伸長状態における前記第１基端縁と前記吸収コアの前記幅方向の距離をＳとし、前記伸長状態における前記起立部の前後方向の長さをＹとすると、
Ｓ≧Ｙを満たす、使い捨ておむつ。
【請求項２】
前記第２基端縁は、前記吸収コアの後端縁よりも後側に位置しており、
前記伸長状態における前記吸収コアの後端縁と前記第２基端縁との前記前後方向の距離をＵとすると、
Ｓ≦Ｙ＋Ｕを満たす、請求項１に記載の使い捨ておむつ。
【請求項３】
前記伸長状態において前記起立部の前端縁は、前記吸収コアの後端縁よりも前側に位置しており、
前記伸長状態における前記吸収コアの後端縁と前記起立部の前端縁の前記前後方向の距離をＶとすると、
Ｖ≧前記Ｕを満たす、請求項２に記載の使い捨ておむつ。
【請求項４】
前記伸長状態において前記起立部の前端縁は、前記吸収コアの後端縁よりも前側に位置しており、
前記伸長状態における前記吸収コアの後端縁と前記起立部の前端縁の前記前後方向の距離をＶとすると、
前記Ｕ＞Ｖを満たす、請求項２に記載の使い捨ておむつ。
【請求項５】
前記伸長状態における前記吸収コアの後端縁と前記第２基端縁との間の領域には、補強シートが設けられている、請求項２から請求項４のいずれか１項に記載の使い捨ておむつ。
【請求項６】
前記補強シートは、前記幅方向における前記ウエストバンドの全域に配置されている、請求項５に記載の使い捨ておむつ。
【請求項７】
前記ウエストバンドは、前記第２基端縁から前記前後方向に延び、かつ前記肌面側シートに接合された接合部を有しており、
前記接合部の収縮力は、前記起立部の収縮力よりも低い、請求項２から請求項６のいずれか１項に記載の使い捨ておむつ。
【請求項８】
前記ウエストバンドは、前記第２基端縁から前記前後方向に延び、かつ前記肌面側シートに接合された接合部を有しており、
前記接合部の前記前後方向の長さをＸとすると、
前記Ｕ≦Ｘを満たす、請求項２から請求項７のいずれか１項に記載の使い捨ておむつ。
【請求項９】
前記ウエストバンドは、前記起立部の前端縁を基点に後側かつ着用者側に折り返された折り返し部を有し、
前記折り返し部の収縮力は、前記起立部の収縮力よりも高い、請求項１から請求項８のいずれか１項に記載の使い捨ておむつ。
【請求項１０】
前記折り返し部の前記前後方向の長さは、前記起立部の前記前後方向の長さよりも長い、請求項９に記載の使い捨ておむつ。
【請求項１１】
前記肌面側シートは、表面シートと、前記表面シートの両外側部を覆う一対のサイドシートと、を有し、
前記サイドシートは、防漏弾性部材の収縮によって起立する収縮部を有する一対の防漏ギャザーを構成し、
前記防漏ギャザーは、前記収縮部よりも前記幅方向の外側において前記収縮部の起立支点となる防漏基端縁を有し、
前記ウエストバンドの第１基端縁は、前記防漏ギャザーの前記防漏基端縁よりも前記幅方向の外側に位置する、請求項１から請求項１０のいずれか１項に記載の使い捨ておむつ。
【請求項１２】
前記後胴回り域において配置されたファスニングテープを有しており、
前記ウエストバンドは、前記ファスニングテープと厚さ方向において重なっている、請求項１から請求項１１のいずれか１項に記載の使い捨ておむつ。
【発明の詳細な説明】
【技術分野】
【０００１】
本発明は、ウエストバンドを有する使い捨ておむつに関する。
【背景技術】
【０００２】
後胴回り域にウエストバンドを配置した使い捨ておむつが知られている（例えば、特許文献１参照）。ウエストバンドは、ウエスト開口近傍において、股下域側に折り畳まれ、股下域側に向かって開口している。また、ウエストバンドは、両側部において肌面側シート側に固定されており、起立できないように構成されている。よって、ウエストバンドは、両側固定部とウエスト開口近傍の折り目とによって囲まれた領域において着用者側に立ち上がり、後胴回り域においてウエスト開口側に移動する排泄物を収容する。
【先行技術文献】
【特許文献】
【０００３】
【特許文献１】特開２０１６−１８７５１０号公報
【発明の概要】
【発明が解決しようとする課題】
【０００４】
ウエストバンドによって排泄物を収容するためには、ポケットの収容空間を広く設けることが好ましい。特許文献１のウエスバンドでは、収容空間の後端縁がウエスト開口に近接しており、収容空間の前後方向の長さを確保し易い。一方、収容空間の外側縁は、吸収コアの外側縁に近接している。ウエストバンドが着用者側に立ち上がる際には、使い捨ておむつにおいて比較的剛性の高い吸収コアに対して起立し易く、収容空間の外側縁が吸収コアに近接していると、収容空間の外側縁が立ち上がり難くなることがある。収容空間の外側縁が立ち上がり難くなることによって、収容空間の全体の立ち上がりが阻害され、収容空間を確保しにくいおそれがあった。
【０００５】
よって、ウエストバンドによるポケットの収容区間を確保し、後漏れの発生を抑制できる使い捨ておむつが望まれる。
【課題を解決するための手段】
【０００６】
一態様に係る使い捨ておむつは、互いに直交する前後方向及び幅方向と、前胴回り域、後胴回り域、及び前記前胴回り域及び前記後胴回り域との間に配置された股下域と、吸収コアと、前記吸収コアよりも肌対向面側に位置する肌面側シートと、前記後胴回り域において、前記肌面側シートよりも肌対向面側に位置し、前記幅方向に伸縮するウエストバンドと、を有し、前記ウエストバンドは、前記肌面側シートに対して起立可能に構成された起立部と、前記起立部及び前記吸収コアよりも前記幅方向の外側において前記起立部の起立支点となる第１基端縁と、前記起立部よりもウエスト開口側において前記起立部の起立支点となる第２基端縁と、を有する使い捨ておむつであって、前記使い捨ておむつの伸長状態における前記第１基端縁と前記吸収コアの前記幅方向の距離をＳとし、前記伸長状態における前記起立部の前後方向の長さをＹとすると、Ｓ≧Ｙを満たす。
【図面の簡単な説明】
【０００７】
【図１】図１は、第１実施の形態に係る使い捨ておむつを肌対向面側から見た模式平面図である。
【図２】図２は、図１に示す２Ａ−２Ａ線に沿った模式断面図である。
【図３】図３は、図１に示す３Ａ−３Ａ線に沿った模式断面図である。
【図４】図４は、伸長状態における図１に示す４Ａ−４Ａ線に沿った模式断面図である。
【図５】図５は、自然状態における図１に示す４Ａ−４Ａ線に沿った模式断面図である。
【図６】図６は、図５を基準とした断面における着用状態を模式的に示した図である。
【図７】図７は、第２実施形態に係る使い捨ておむつの伸長状態における模式断面図である。
【図８】図８は、第２実施形態に係る使い捨ておむつの自然状態における模式断面図である。
【０００８】
（１）実施形態の概要
本明細書及び添付図面の記載により、少なくとも以下の事項が明らかとなる。
一態様に係る使い捨ておむつは、互いに直交する前後方向及び幅方向と、前胴回り域、後胴回り域、及び前記前胴回り域及び前記後胴回り域との間に配置された股下域と、吸収コアと、前記吸収コアよりも肌対向面側に位置する肌面側シートと、前記後胴回り域において、前記肌面側シートよりも肌対向面側に位置し、前記幅方向に伸縮するウエストバンドと、を有し、前記ウエストバンドは、前記肌面側シートに対して起立可能に構成された起立部と、前記起立部及び前記吸収コアよりも前記幅方向の外側において前記起立部の起立支点となる第１基端縁と、前記起立部よりもウエスト開口側において前記起立部の起立支点となる第２基端縁と、を有する使い捨ておむつであって、前記使い捨ておむつの伸長状態における前記第１基端縁と前記吸収コアの前記幅方向の距離をＳとし、前記伸長状態における前記起立部の前後方向の長さをＹとすると、Ｓ≧Ｙを満たす。
【０００９】
ウエストバンドの起立部は、第１基端縁及び第２基端縁から起立可能に構成されており、排泄物を収容する収容空間を形成する。第１基端縁と吸収コアの幅方向の距離が起立部の前後方向の長さ以上であり、吸収コアの外側縁に対して立ち上がる収容空間の高さが第２基端縁に対して立ち上がる収容空間の高さ以上になるようにポケットを形成することが可能となる。よって、収容空間の外側縁が吸収コアの剛性によって立ち上がり難くならず、収容空間の全体が立ち上がり易くなり、収容空間を確保し易くなる。ウエストバンドによるポケットの収容区間を確保し、後漏れの発生を抑制することができる。
【００１０】
好ましい一態様によれば、前記第２基端縁は、前記吸収コアの後端縁よりも後側に位置しており、前記伸長状態における前記吸収コアの後端縁と前記第２基端縁との前記前後方向の距離をＵとすると、Ｓ≦Ｙ＋Ｕを満たしてよい。
【００１１】
第２基端縁が吸収コアの後端縁よりも後側に位置する形態にあっては、第２基端縁が吸収コアの後端縁に対して更に着用者側に立ち上がることがある。このとき、収容空間の立ち上がりの高さは、Ｙ＋Ｕとなる。Ｓによる収容空間の高さが、Ｙ＋Ｕによる収容空間の立ち上がりの高さ以下であり、Ｙ＋Ｕによる収容空間の立ち上がりの高さを抑えることができる。
吸収コアと第２基端縁の間の領域は、ウエストバンドの起立支点と吸収コアの間に位置し、前後方向の両側と比較して剛性が低く、変形し易い。Ｓ≦Ｙ＋Ｕを満たすことにより、Ｙ＋Ｕによる収容空間の立ち上がりの高さが高すぎることに起因して吸収コアと第２基端縁の間の領域が変形することを抑制し、ポケットの収容空間を確保し易い。
【００１２】
好ましい一態様によれば、前記伸長状態において前記起立部の前端縁は、前記吸収コアの後端縁よりも前側に位置しており、前記伸長状態における前記吸収コアの後端縁と前記起立部の前端縁の前記前後方向の距離をＶとすると、Ｖ≧前記Ｕを満たしてよい。
【００１３】
起立部において吸収コアが重なる領域の前後方向の長さ（Ｖ）は、起立部において吸収コアが重ならない領域の前後方向の長さ（Ｕ）以上である。起立部において吸収コアが重なる領域では、吸収コアが重ならない領域と比較して、剛性が高い吸収コアが非肌面側に位置しており、着用者側により起立しやすい。Ｖ≧Ｕを満たすことにより、起立部がより立ち上がり易くなる。
【００１４】
好ましい一態様によれば、前記伸長状態において前記起立部の前端縁は、前記吸収コアの後端縁よりも前側に位置しており、前記伸長状態において前記起立部の前端縁は、前記吸収コアの後端縁よりも前側に位置しており、前記伸長状態における前記吸収コアの後端縁と前記起立部の前端縁の前記前後方向の距離をＶとすると、前記Ｕ＞Ｖを満たしてよい。
【００１５】
起立部において吸収コアが重ならない領域の前後方向の長さ（Ｕ）は、起立部において吸収コアが重なる領域の前後方向の長さ（Ｖ）よりも長い。吸収コアの後端縁よりも後側に配置される起立部の前後方向の長さは、吸収コアの後端縁よりも前側に配置される起立部の前後方向の長さよりも長い。よって、吸収コアの後端縁よりも後側にウエストバンドのポケットを大きく形成できる。使用者は、ウエストバンドのポケットが吸収コアよりも後側に大きく配置されることを把握でき、後漏れに対する安心感を得ることができる。
【００１６】
好ましい一態様によれば、前記伸長状態における前記吸収コアの後端縁と前記第２基端縁との間の領域には、補強シートが設けられてよい。
【００１７】
本態様によれば、吸収コアの後端縁と前記第２基端縁との間の領域の剛性を補強シートによって高め、起立部において吸収コアが重なる領域との剛性差を少なくできる。よって、起立部全体が立ち上がり易くなる。
【００１８】
好ましい一態様によれば、前記補強シートは、前記幅方向における前記ウエストバンドの全域に配置されてよい。
【００１９】
本態様によれば、幅方向における前記ウエストバンドの全域に亘って補強シートによって剛性を高め、ウエストバンドの幅方向の全域に亘って起立部が立ち上がり易くなる。
【００２０】
好ましい一態様によれば、前記ウエストバンドは、前記第２基端縁から前記前後方向に延び、かつ前記肌面側シートに接合された接合部を有しており、前記接合部の収縮力は、前記起立部の収縮力よりも低くてよい。
【００２１】
本態様によれば、接合部の収縮力が低いため、接合部が起立部よりも身体に密着し難い。接合部が身体に密着することによって、接合部と重ならない起立部が相対的に身体から離れる不具合を抑制できる。よって、起立部の身体に対する密着性を確保し易い。
【００２２】
好ましい一態様によれば、前記ウエストバンドは、前記第２基端縁から前記前後方向に延び、かつ前記肌面側シートに接合された接合部を有しており、前記接合部の前記前後方向の長さをＸとすると、前記Ｕ≦Ｘを満たてよい。
【００２３】
使い捨ておむつを寝た状態の着用者に装着する際は、後胴回り域を着用者の身体と寝具等の間に差し込むことがある。このとき、接合部の前後方向の長さが長いことにより、接合部の剛性が高くなり、起立部の起立支点となる第２基端縁のたくれを抑制できる。また、仮に第２基端縁のたくれた場合であっても、接合部の前後方向の長さが長いため、第２基端縁を確保し易い。よって、起立部の起立支点を維持し易く、ウエストバンドによるポケットの収容空間をより確保し易い。
【００２４】
好ましい一態様によれば、前記ウエストバンドは、前記起立部の前端縁を基点に後側かつ着用者側に折り返された折り返し部を有し、前記折り返し部の収縮力は、前記起立部の収縮力よりも高くてよい。
【００２５】
本態様によれば、折り返し部の収縮力が比較的高いため、ウエストバンドの身体に対する密着性を確保できる。また、起立部の収縮力が比較的低いため、起立部の収縮力が高いことによってポケットが身体から浮き上がりすぎる不具合を抑制し、身体とポケットの隙間が発生することを抑制できる。
【００２６】
好ましい一態様によれば、前記折り返し部の前記前後方向の長さは、前記起立部の前記前後方向の長さよりも長くてよい。
【００２７】
本態様によれば、ウエストバンドが身体に接する面積を広く確保し、ウエストバンドの形状の安定性が向上し、ウエストバンドと身体との隙間が生じることを抑制できる。また、折り返し部の前後方向の長さを長くすることにより、折り返し部の収縮力を高くしても、単位長さ当たりの収縮力を抑えることができる。よって、折り返し部の着圧を抑え、装着感の悪化を抑制しつつウエストバンドの密着性を確保できる。
【００２８】
好ましい一態様によれば、前記肌面側シートは、表面シートと、前記表面シートの両外側部を覆う一対のサイドシートと、を有し、前記サイドシートは、防漏弾性部材の収縮によって起立する収縮部を有する一対の防漏ギャザーを構成し、前記防漏ギャザーは、前記収縮部よりも前記幅方向の外側において前記収縮部の起立支点となる防漏基端縁を有し、前記ウエストバンドの第１基端縁は、前記防漏ギャザーの前記防漏基端縁よりも前記幅方向の外側に位置してよい。
【００２９】
本態様によれば、ウエストバンドの第１基端縁は、起立部の収縮によって幅方向の内側に向かう力を受けやすい。ウエストバンドの第１基端縁が防漏ギャザーの防漏基端縁よりも幅方向の外側に位置するため、ウエストバンドの収縮によって防漏基端縁が幅方向の内側に移動することを抑制できる。一対の防漏ギャザーによって挟む空間を広く設けることができ、横漏れを抑制できる。
【００３０】
好ましい一態様によれば、前記後胴回り域において配置されたファスニングテープを有しており、前記ウエストバンドは、前記ファスニングテープと厚さ方向において重なってよい。
【００３１】
本態様によれば、装着時にファスニングテープを引っ張った際に、ウエストバンドを連動して引っ張ることができる。よって、ウエストバンドがより立ち上がり易くなり、ウエストバンドによるポケットをより形成し易くなる。
【００３２】
（２）使い捨ておむつの全体概略構成
以下、図面を参照して、第１実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３３】
使い捨ておむつは、テープ型の使い捨ておむつである。図１は、第１実施形態に係る使い捨ておむつ１０の肌対向面側から見た模式平面図である。図２は、図１に示す使い捨ておむつの２Ａ−２Ａ断面に沿った模式断面図である。図３は、図１に示す使い捨ておむつの３Ａ−３Ａ断面に沿った模式断面図である。図１から図３は、伸長状態の使い捨ておむつを示している。なお、本発明における伸長状態とは、使い捨ておむつ１０を皺が形成されない状態まで伸長させた状態である。また、本発明における自然状態とは、パッケージに収容されている使い捨ておむつ１０にあっては、パッケージから使い捨ておむつ１０を取り出し、２０℃±２℃、相対湿度６０％±５％ＲＨの雰囲気下において２４時間放置した状態である。図４は、伸長状態における図１に示す４Ａ−４Ａ線に沿った模式断面図である。図５は、自然状態における図１に示す４Ａ−４Ａ線に沿った模式断面図である。図６は、図２から図５に示す模式断面図では、説明の便宜上、各部材を厚さ方向Ｔにおいて離間して示しているが、実際の製品においては厚さ方向Ｔに接している。図５に示す断面を基準とした着用状態を示す図である。図６に示すＢＬは、着用者の身体のラインを示している。
【００３４】
使い捨ておむつ１０は、互いに直交する前後方向Ｌ及び幅方向Ｗを有する。前後方向Ｌは、身体前側と身体後側とに延びる方向によって規定される。言い換えると、前後方向Ｌは、展開された使い捨ておむつ１０において前後に延びる方向である。また、使い捨ておむつ１０は、前後方向Ｌと幅方向Ｗの両方の直交する厚さ方向Ｔを有する。厚さ方向Ｔは、着用者側に向かう肌対向面側Ｔ１と、肌対向面側と反対側の非肌対向面側Ｔ２と、に延びる。
【００３５】
使い捨ておむつ１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域であり、装着時に身体（臀部）が載せられる領域を含む。股下域Ｓ３は、着用者の股下に位置し、前胴回り域Ｓ１と後胴回り域Ｓ２との間に配置された領域である。股下域Ｓ３は、着用者の脚回りに配置される脚回り開口部６５が設けられた領域である。脚回り開口部６５は、使い捨ておむつの外側縁から幅方向の内側に凹む部分である。
【００３６】
使い捨ておむつ１０は、吸収材料を含む吸収コア３１を含む。吸収コア３１は、粉砕パルプもしくは高吸収性ポリマー（ＳＡＰ）、又はこれらの混合物等の吸収材料を含む。吸収コア３１は、図示しないコアラップによって覆われてよい。吸収コア３１とコアラップによって吸収体が構成されてよい。コアラップは、テッシュ又はＳＭＳ不織布によって構成され、吸収コア３１の肌対向面側Ｔ１と吸収コア３１の非肌対向面側Ｔ２に配置されてよい。
【００３７】
図２及び図３に示すように、使い捨ておむつ１０は、吸収コア３１よりも肌対向面側Ｔ１に位置する肌面側シート２０を有する。肌面側シート２０は、吸収コア３１を覆い、かつ使い捨ておむつ１０の全体に亘って配置されている。本実施形態の肌面側シート２０は、表面シート２１と一対のサイドシート２２を含む。なお、コアラップを有する使い捨ておむつにあっては、肌面側シート２０は、コアラップよりも肌対向面側Ｔ１に位置するシートである。表面シート２１は、吸収コア３１の幅方向Ｗの中心を跨いで配置されてよい。サイドシート２２は、表面シート２１の両外側部を覆うように配置されてよい。表面シート２１及びサイドシート２２は、例えば不織布や開孔プラスチックフィルムのような透液性シートによって構成されていてよい。
【００３８】
サイドシート２２の内側部は、折り返されて重なってよい。重なったサイドシート２２間には、前後方向Ｌに伸縮する防漏弾性部材６１が設けられてよい。防漏弾性部材６１は、前後方向Ｌに伸縮する糸ゴムによって構成されてよい。サイドシート２２は、防漏弾性部材６１の収縮によって肌対向面側Ｔ１に起立する。サイドシート２２及び防漏弾性部材６１は、肌対向面側Ｔ１に起立する収縮部６３を構成する。防漏ギャザー６０は、収縮部６３と、収縮部６３よりも幅方向の外側において収縮部の起立支点となる防漏基端縁６４と、を有する。防漏基端縁６４は、収縮部６３よりも幅方向の外側においてサイドシートと表面シートが接合された領域の内側縁である。収縮部６３は、サイドシート２２が表面シート２１に接合されてなく、防漏弾性部材６１によって収縮可能な部分であり、非伸長状態の防漏弾性部材６１が配置された部分を含まない。収縮部６３の前後方向の範囲を図１に示す。
【００３９】
ここで、本発明における外側部とは、幅方向Ｗにおける外側の縁を含む幅方向Ｗに一定の範囲を占める部分であり、外側縁とは、幅方向Ｗにおける外側の縁である。また、内側部とは、幅方向Ｗにおける内側の縁を含む幅方向Ｗに一定の範囲を占める部分であり、内側縁とは、幅方向Ｗにおける内側の縁である。
【００４０】
使い捨ておむつ１０は、吸収コア３１よりも肌対向面側Ｔ１に位置する非肌面側シート２５を有する。非肌面側シート２５は、吸収コア３１を覆い、かつ使い捨ておむつの全体に亘って配置されている。本実施形態の非肌面側シート２５は、裏面シート２３と外装シート２４を含む。なお、コアラップを有する使い捨ておむつにあっては、非肌面側シート２５は、コアラップよりも非肌対向面側Ｔ２に位置するシートである。裏面シート２３は、液不透過性のシートであり、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。外装シート２４は、裏面シート２３の非肌対向面側Ｔ２に設けられてよい。外装シート２４は、液透過性の不織布によって構成されてよい。裏面シート２３の幅方向Ｗの長さは、外装シート２４の幅方向Ｗの長さよりも短く、裏面シート２３の前後方向Ｌの長さは、外装シート２４の前後方向Ｌの長さよりも短くてよい。
【００４１】
後胴回り域Ｓ２には、ファスニングテープ９０が設けられている。ファスニングテープ９０は、ベース部９２と係止部９３を有する。ベース部９２の少なくとも一部は、肌面側シート２０と非肌面側シート２５の間に接合され、かつ肌面側シート２０と非肌面側シート２５から幅方向Ｗの外側に延出する。係止部９３は、ベース部９２上に設けられ、ターゲット部９５（図１参照）に着脱可能に止着される。ファスニングテープ９０は、後胴回り域Ｓ２において幅方向Ｗに沿って延び、ターゲット部９５に止着されることにより、使い捨ておむつ１０を着用者の身体に保持する。ターゲット部９５は、前胴回り域Ｓ１に配置されており、ファスニングテープ９０がそれぞれ止着するように構成されている。
【００４２】
使い捨ておむつ１０は、後胴回り域Ｓ２において肌面側シート２０の肌対向面側Ｔ１に配置されたウエストバンド８０を有する。ウエストバンド８０は、着用時に肌面側シート２０から浮き上がり、前側に向かって開口するポケットを形成する。当該ポケットによってウエスト開口６６側に移動する排泄物を収容する。ウエストバンド８０の構成については、後述にて詳細に説明する。ウエスト開口６６は、使い捨ておむつの後端縁１０Ｒと前端縁１０Ｆによって構成され、ファスニングテープ９０がターゲット部９５に止着した状態で腰回りを囲む部分である。
【００４３】
使い捨ておむつ１０は、ファスニングテープ９０から幅方向に延びるテープ配置領域Ｒ１１、テープ配置領域Ｒ１１よりも後側に位置するウエスト開口領域Ｒ１２、ファスニングテープの係止部９３から幅方向に延びる係止配置領域Ｒ１３、及び係止配置領域Ｒ１３よりも後側に位置するウエスト領域Ｒ１４を有する。各領域Ｒ１１〜Ｒ１４の前後方向Ｌの範囲を図１に示す。テープ配置領域Ｒ１１は、前後方向Ｌにおいて、ファスニングテープの前端縁９０Ｆと後端縁９０Ｒの間の領域である。よって、テープ配置領域Ｒ１１の前端縁は、ファスニングテープ９０の前端縁９０Ｆに一致し、テープ配置領域Ｒ１１の後端縁は、ファスニングテープ９０の後端縁９０Ｒに一致する。ウエスト開口領域Ｒ１２は、前後方向Ｌにおいて、ファスニングテープ９０の後端縁９０Ｒと使い捨ておむつ１０の後端縁１０Ｒの間の領域である。よって、ウエスト開口領域Ｒ１２の前端縁は、ファスニングテープの後端縁９０Ｒに一致し、ウエスト開口領域Ｒ１２の後端縁は、使い捨ておむつ１０の後端縁１０Ｒに一致する。係止配置領域Ｒ１３は、前後方向Ｌにおいて、係止部９３の前端縁９３Ｆと後端縁９３Ｒの間の領域である。よって、係止配置領域Ｒ１３の前端縁は、係止部９３の前端縁９３Ｆに一致し、係止配置領域Ｒ１３の後端縁は、係止部９３の後端縁９３Ｒに一致する。ウエスト領域Ｒ１４は、前後方向Ｌにおいて、係止部９３の後端縁９３Ｒと使い捨ておむつ１０の後端縁１０Ｒの間の領域である。よって、ウエスト領域Ｒ１４の前端縁は、係止部９３の後端縁９３Ｒに一致し、ウエスト領域Ｒ１４の後端縁は、使い捨ておむつ１０の後端縁１０Ｒに一致する。
【００４４】
サイドシート２２と裏面シート２３の間、又はサイドシート２２と外装シート２４の間には、前後方向Ｌに延びる脚回り弾性部材４２が設けられてよい。脚回り弾性部材４２は、前後方向Ｌに伸縮する帯状の伸縮シートによって構成されてよい。脚回り弾性部材４２の収縮によって、着用時に使い捨ておむつ１０が脚回りにフィットする。脚回り弾性部材４２は、吸収コア３１よりも幅方向Ｗの外側において、少なくとも股下域Ｓ３において脚回り開口部６５に沿って配置されている。脚回り弾性部材４２は、外装シート２４とサイドシート２２の間、及び裏面シート２３とサイドシート２２の間に配置されている。
【００４５】
サイドシート２２と裏面シート２３の間、及びサイドシート２２と外装シート２４の間には、幅方向Ｗに延びる腰回り弾性部材４５が設けられてよい。腰回り弾性部材４５は、幅方向Ｗに伸縮する略矩形の伸縮シートによって構成されてよい。腰回り弾性部材４５は、肌面側シート２０と非肌面側シート２５の間に接合されている。より詳細には、図４に示すように、腰回り弾性部材４５は、幅方向Ｗに伸長した状態で、吸収コア３１と非肌面側シート２５の間、又は肌面側シート２０と非肌面側シート２５の間に接合されている。腰回り弾性部材４５の収縮によって、着用時に使い捨ておむつ１０が腰回りにフィットする。腰回り弾性部材４５は、少なくとも後胴回り域Ｓ２に配置されている。腰回り弾性部材４５は、係止配置領域Ｒ１３とウエスト領域Ｒ１４に跨って配置されている。腰回り弾性部材４５の後端縁４５Ｒは、使い捨ておむつ１０の後端縁１０Ｒよりも前側かつテープ配置領域Ｒ１１よりも後側に位置する。腰回り弾性部材４５の前端縁４５Ｆは、テープ配置領域Ｒ１１よりも前側かつ吸収コア３１の後端縁３１Ｒよりも前側に位置する。腰回り弾性部材４５は、肌面側シート２０及び非肌面側シート２５のいずれかと重なって配置されており、本発明の補強シートを構成する。補強シートは、肌面側シート２０及び非肌面側シート２５と別体のシートであり、肌面側シート２０及び非肌面側シート２５が配置された領域を補強する。
【００４６】
（３）ウエストバンドの構成
次いで、ウエストバンド８０の構成について詳細に説明する。図５に示すように、ウエストバンド８０は、複数のシートが積層されたシート層８１と、シート層８１に接合されたバンド弾性部材８２と、を有する。本実施形態のウエストバンド８０のシート層８１は、第１不織布層８１１と、第２不織布層８１２と、第１不織布層８１１と第２不織布層８１２の間に配置されたフィルム層８１３と、を含む。第１不織布層８１１と第２不織布層８１２は、同一の不織布によって構成され、ウエストバンド８０の折り返し部８６の頂点において折り返されている。第１不織布層８１１は、ウエストバンド８０において最も肌面側シート２０側に位置している。
【００４７】
バンド弾性部材８２は、糸状又は帯状の弾性部材によって構成され、幅方向Ｗに伸長した状態で、シート層８１に固定されている。本実施形態のバンド弾性部材８２は、第１不織布層８１１とフィルム層８１３との間に固定されている。バンド弾性部材８２は、前後方向Ｌに間隔を空けて複数配置されている。バンド弾性部材８２は、後述する非接合部８５と折り返し部８６において、それぞれ複数配置されている。
【００４８】
ウエストバンド８０は、後胴回り域Ｓ２においてウエスト開口６６の近傍に配置されてよい。ウエストバンド８０の外側縁８０Ｅは、吸収コア３１の外側縁３１Ｅよりも幅方向の外側に位置してよく、ファスニングテープ９０の内側縁よりも幅方向の内側に位置してもよい。ウエストバンド８０の前端縁８０Ｆは、ファスニングテープ９０の前端縁９０Ｆよりも後側に位置してよい。使い捨ておむつ１０は、前後方向Ｌにおけるファスニングテープ９０の前端縁９０Ｆとウエストバンド８０の前端縁８０Ｆとの間、かつ、幅方向Ｗにおけるファスニングテープの内側縁と吸収コア３１の外側縁の間である離間領域Ｒ１５を有する。離間領域Ｒ１５は、吸収コア３１に対する幅方向の両側にそれぞれ位置してよい。一方の離間領域Ｒ１５と他方の離間領域Ｒ１５は、幅方向Ｗに間隔を空けて配置されてよい。図１において、離間領域Ｒ１５に斜線を付して示す。
【００４９】
ウエストバンド８０は、肌面側シート２０に対して起立可能に構成された起立部と、起立部の起立支点となる基端縁と、を有する。基端縁は、吸収コア３１よりも幅方向の外側に位置する第１基端縁と、起立部よりもウエスト開口６６側に位置する第２基端縁と、を有する。
【００５０】
ウエストバンド８０は、幅方向Ｗに伸縮可能に構成されている。ウエストバンド８０は、バンド弾性部材８２によって幅方向に伸縮するように構成されていてもよいし、シート層が伸縮性を有することによって幅方向に伸縮するように構成されていてもよい。ウエストバンド８０は、少なくとも起立部が収縮可能に構成されていればよく、起立部、第１基端縁及び第２基端縁の全体が収縮可能に構成されていてもよい。
【００５１】
ウエストバンド８０は、ウエストバンド８０において最も肌面側シート２０側に位置する対向部８３を有する。対向部８３は、肌面側シート２０に当接可能な部分であり、最も肌面側シート２０側に位置するシート層８１を含んだ部分であって、折り目を基点に折り返されていない部分によって構成されている。本実施形態の対向部８３は、折り目ＦＬに対して折り返されていない部分であり、折り目ＦＬよりも肌対向面側かつ後側に位置する部分によって構成されている。図４において、対向部８３に斜線を付して示す。対向部８３には、肌面側シート２０に接合された接合部８４と、接合部８４から前側に延出し、肌面側シート２０に接合されていない非接合部８５と、が設けられている。図４において、接合部８４の前後方向の長さＸと非接合部８５の前後方向Ｌの長さＹを示す。
【００５２】
図５及び図６に示すように、ウエストバンド８０の非接合部８５と肌面側シート２０とによって挟まれた収容空間ＡＳによって、前側に向かって開口するポケットを形成している。よって、非接合部８５は、本発明の起立部を構成する。起立部の前端縁は、非接合部８５の前端縁８５Ｆであり、起立部の後端縁は、非接合部８５の後端縁８５Ｒである。非接合部８５の前端縁８５Ｆは、伸長状態において、吸収コア３１の後端縁３１Ｒよりも前側に位置してよい。接合部８４は、非接合部８５から後側に延びている。接合部８４の前端縁８４Ｆは、本発明の第２基端縁を構成する。接合部８４は、第２基端縁から前後方向に延びている。接合部８４の後端縁８４Ｒは、ウエストバンド８０の後端縁８０Ｒまで延びてよく、使い捨ておむつ１０の後端縁１０Ｒに一致してもよい。接合部８４の前端縁８４Ｆは、ポケットの後端縁を構成する。接合部８４の前端縁８４Ｆは、伸長状態において、吸収コア３１の後端縁３１Ｒよりも後側に位置してよいし、吸収コア３１の後端縁３１Ｒと一致していてもよい。なお、本実施形態の使い捨ておむつ１０は、接合部８４の後端縁８４Ｒ、対向部８３の後端縁８３Ｒ、ウエストバンドの後端縁８０Ｒ及び使い捨ておむつ１０の後端縁１０Ｒは、前後方向Ｌにおける位置が一致している。
【００５３】
なお、接合部８４の後端縁８４Ｒがウエストバンド８０の後端縁８０Ｒよりも前側に位置する構成にあっては、接合部８４よりも後側に非接合部が設けられてよい。接合部８４よりも後側に位置する非接合部は、前側に向かって開口してなくポケットを形成しない。そのため、後述する製造工程の誤差によって誤って切断されても、ポケットの形成に影響しない。また、接合部８４よりも後側に位置する非接合部は、非接合部の後端縁において幅方向に延びる折り目を基点に、肌面側シート２０から離れる側に折り畳まれていてもよい。
【００５４】
ウエストバンド８０は、起立部を構成する非接合部８５よりも幅方向の外側において、肌面側シート２０に接合されたサイド接合部８７を有する。サイド接合部８７の外側縁８７Ｅは、ウエストバンド８０の外側縁８０Ｅの近傍に配置されてよく、ウエストバンド８０の外側縁８０Ｅに到達してよい。サイド接合部８７の内側縁８７Ｉは、吸収コア３１の外側縁３１Ｅよりも幅方向Ｗの外側に位置してよく、吸収コア３１と幅方向Ｗにおいて離間している。サイド接合部８７の内側縁８７Ｉは、本発明の第１基端縁を構成する。図１において、起立部を構成する非接合部８５、サイド接合部８７、及び接合部８４に、異なる斜線を付して示す。
【００５５】
非接合部８５は、接合部８４から前側に延びている。ウエストバンド８０は、非接合部８５の前端縁８５Ｆにおいて幅方向Ｗに延びる折り目ＦＬを基点に折り畳まれた折り返し部８６を有してよい。非接合部８５は、接合部８４の前端縁８４Ｆから折り目ＦＬまで設けられている。非接合部８５の前端縁８５Ｆは、対向部８３の前端縁８３Ｆ及びウエストバンド８０の前端縁８０Ｆを構成し、折り目ＦＬに一致する。非接合部８５の前後方向Ｌの長さは、接合部８４の前端縁８４Ｆと折り目ＦＬとの距離である。図６に示すように、折り返し部８６は、肌面側シート２０から離れる側に折り畳まれており、身体に接する領域となる。身体に接する折り返し部８６が設けられていることにより、ポケットによる収容空間をより確保し易くなる。なお、変形例に係るウエストバンド８０は、折り返し部８６を有していなくてもよい。
【００５６】
折り返し部８６は、非接合部８５の前端縁８５Ｆから後側に延びる。伸長状態において、折り返し部８６の後端縁８６Ｒは、対向部８３の後端縁８３Ｒと一致していてもよいし、対向部８３の後端縁８３Ｒよりも前側であってもよいし、対向部８３の後端縁８３Ｒよりも後側であってもよい。本実施形態では、折り返し部８６の後端縁８６Ｒと対向部８３の後端縁８３Ｒは、前後方向Ｌにおいて一致している。なお、折り返し部８６の後端縁８６Ｒが対向部８３の後端縁８３Ｒよりも前側に位置する構成にあっては、対向部８３の後端縁８３Ｒがウエストバンド８０の後端縁８０Ｒを構成する。折り返し部８６の後端縁８６Ｒが対向部８３の後端縁８３Ｒよりも後側に位置する構成にあっては、折り返し部８６の後端縁８６Ｒがウエストバンド８０の後端縁８０Ｒを構成する。
【００５７】
図２及び図３に示すように、折り返し部８６の外側部は、ウエストバンドの折り返されていない部分（対向部８３）に対して第２接合部８８を介して接合されている。第２接合部８８は、折り返し部８６の幅方向の両側部に一対で設けられている。一対の第２接合部８８の間の領域では、折り返し部８６は、対向部８３に対して着用者側に起立している。
【００５８】
変形例に係るウエストバンドは、折り返し部８６の後端縁８６Ｒにおいて幅方向Ｗに延びる折り目を基点に、肌面側シート２０から離れる側に折り畳まれていてもよい。折り返し部８６が更に折り畳まれることにより、ウエストバンド８０がより着用者側に起立し、ウエストバンド８０が身体に対してより接しやすくなる。
【００５９】
ウエストバンド８０の前端縁８０Ｆは、伸長状態において、テープ配置領域Ｒ１１に位置してよいし、係止配置領域Ｒ１３に位置してもよい。すなわち、ウエストバンド８０の前端縁８０Ｆは、ウエスト領域Ｒ１４の前端縁よりも前側に位置してよいし、ウエスト開口領域Ｒ１２の前端縁よりも前側に位置してよい。
【００６０】
ウエストバンド８０の後端縁８０Ｒは、伸長状態において、ウエスト領域Ｒ１４の前後方向の中心Ｒ１４ＣＬよりも後側に配置されている。ウエスト領域Ｒ１４は、係止配置領域Ｒ１３よりも後側に位置する。係止配置領域Ｒ１３は、着用時に係止部９３がターゲット部９５に止着された状態で、使い捨ておむつ１０を身体に対して保持する領域である。係止配置領域Ｒ１３よりも後側に位置するウエスト領域Ｒ１４には、ファスニングテープ９０等によって着用者の胴回りに保持する力が掛かりにくく、ウエスト領域Ｒ１４は、後胴回り域Ｓ２において比較的変形し易い領域である。ウエスト領域Ｒ１４にウエストバンド８０が配置されることにより、ウエスト領域Ｒ１４の剛性を高めることができる。ウエストバンド８０は、ウエスト領域Ｒ１４の前後方向Ｌの長さの半分以上に配置されている。よって、ウエスト領域Ｒ１４の前後方向Ｌにおける半分以上の長さに亘って剛性を高め、ウエスト領域Ｒ１４の剛性を確保し易くなる。ウエスト領域Ｒ１４がめくれる等の不具合を抑制し、後漏れを抑制することができる。
【００６１】
また、ウエストバンド８０のポケットは、対向部８３の非接合部８５と肌面側シート２０とによって挟まれた収容空間ＡＳによって形成されている。非接合部８５よりもウエスト開口６６側には、接合部８４が設けられている。非接合部８５が接合部８４よりも前側に設けられているため、製造誤差などによりウエストバンド８０の一部（例えば、ウエストバンド８０の後端縁）が誤って切断されても、ポケットが切断され難い。よって、ポケットとしての機能を維持し易く、ウエストバンド８０によるポケットを適切に形成でき、後漏れの発生を抑制することができる。
【００６２】
ウエストバンド８０の後端縁８０Ｒは、伸長状態において、ウエスト開口領域Ｒ１２の前後方向Ｌの中心Ｒ１２ＣＬよりも後側に配置されてよい。ウエスト開口領域Ｒ１２は、テープ配置領域Ｒ１１よりも後側に位置する。テープ配置領域Ｒ１１は、着用時にファスニングテープ９０がターゲット部９５に止着された状態で、使い捨ておむつを身体に対して保持する領域である。テープ配置領域Ｒ１１よりも後側に位置するウエスト開口領域Ｒ１２には、着用者の胴回りに保持する力がより掛かり難く、ウエスト開口領域Ｒ１２は、後胴回り域Ｓ２においてより変形し易い領域である。加えて、このように構成された使い捨ておむつを寝た状態の着用者に装着する際は、後胴回り域Ｓ２を着用者の身体と寝具等の間に差し込むことがある。このとき、ウエスト開口領域Ｒ１２は、差し込む際の先端に位置しており、めくれたり、たくれたりし易い領域である。ウエスト開口領域Ｒ１２にウエストバンド８０が配置されることにより、ウエスト開口領域Ｒ１２の剛性を高めることができる。ウエストバンド８０は、ウエスト開口領域Ｒ１２の前後方向Ｌの長さの半分以上に配置されている。よって、ウエスト開口領域Ｒ１２の前後方向Ｌにおける半分以上の長さに亘って剛性を高め、ウエスト開口領域Ｒ１２の剛性を確保し易くなる。ウエスト開口領域Ｒ１２がめくれる等の不具合を抑制し、後漏れを抑制することができる。
【００６３】
好適には、接合部８４の後端縁８４Ｒは、伸長状態において、ウエスト領域Ｒ１４の前後方向の中心Ｒ１４ＣＬよりも後側に配置されてよい。接合部８４は、肌面側シート２０に接合された領域であり、ウエスト領域Ｒ１４の剛性をより高めることができる。よって、ウエスト領域Ｒ１４の剛性を高めて後漏れを抑制する効果をより得易くなる。より好適には、接合部８４の後端縁８４Ｒは、伸長状態において、ウエスト開口領域Ｒ１２の前後方向の中心Ｒ１２ＣＬよりも後側に配置されてよい。ウエスト開口領域Ｒ１２の剛性を高めて後漏れを抑制する効果をより得易くなる。更に好適には、接合部８４の後端縁８４Ｒは、伸長状態において、使い捨ておむつ１０の後端縁１０Ｒに到達してよい。使い捨ておむつ１０の後端縁１０Ｒの剛性を高めることができ、ウエスト開口領域Ｒ１２の剛性をより確保し易い。ウエスト開口領域Ｒ１２がめくれる等の不具合を抑制し、後漏れをより抑制することができる。
【００６４】
非接合部８５の後端縁８５Ｒは、伸長状態において、係止配置領域Ｒ１３の前後方向Ｌの中心よりも後側に位置してよい。非接合部８５の後端縁８５Ｒは、対向部８３の非接合部８５と肌面側シート２０とによって挟まれたポケットの後端縁を構成する。非接合部８５の前後方向Ｌの長さを確保し、非接合部８５によるポケットの収容空間を広く設けることができる。
【００６５】
接合部８４の前端縁８４Ｆは、伸長状態において、係止配置領域Ｒ１３の後端縁よりも前側に位置してよい。接合部８４の前後方向Ｌの長さを確保し、ウエストバンド８０が配置されている領域の剛性をより高めることができる。よって、ウエスト領域Ｒ１４等がめくれる不具合をより抑制し、後漏れをより抑制することができる。
【００６６】
また、補強シートとしての腰回り弾性部材４５は、ウエスト領域Ｒ１４に配置されてよい。より好適には、腰回り弾性部材４５は、ウエスト領域Ｒ１４の前後方向Ｌの長さの半分以上に配置されてよい。よって、ウエスト領域Ｒ１４の前後方向Ｌにおける半分以上の長さに亘って剛性を高め、ウエスト領域Ｒ１４の剛性を確保し易くなる。ウエスト領域Ｒ１４がめくれる等の不具合を抑制し、後漏れを抑制することができる。また、補強シートとしての腰回り弾性部材４５は、ウエスト開口領域Ｒ１２に配置されてよい。ウエスト開口領域Ｒ１２がめくれる等の不具合を抑制し、後漏れを抑制することができる。
【００６７】
腰回り弾性部材４５は、左右のファスニングテープ９０を跨がって配置されてよい。ファスニングテープ９０と腰回り弾性部材４５によって、剛性が高い領域が幅方向に連続して設けられる。よって、後胴回り域におけるウエスト開口近傍のたくれを抑制でき、後胴回り域の漏れをより抑制できる。
【００６８】
使い捨ておむつの離間領域Ｒ１５には、補強シートとしての腰回り弾性部材４５が設けられてよい。ウエストバンド８０とファスニングテープ９０の幅方向Ｗの間の領域が腰回り弾性部材４５によって補強され、ファスニングテープ９０とウエストバンド８０が連動し易くなる。よって、ファスニングテープ９０が幅方向Ｗの外側に引っ張られた際に、ウエストバンド８０が連動して幅方向Ｗに引っ張られ、ウエストバンド８０が肌面側シート２０から浮き上がり易くなる。ウエストバンド８０によるポケットを形成し易くなる。
【００６９】
また、ウエストバンド８０の前端縁８０Ｆがファスニングテープ９０の前端縁９０Ｆよりウエスト開口６６側に位置しており、着用状態では、ウエストバンド８０によって臀部を覆い易く、臀部からの排泄物を収容し易い。このとき、ウエストバンド８０の前端縁８０Ｆとファスニングテープ９０の前端縁９０Ｆの前後方向Ｌの間の領域は、腰回り弾性部材４５によって補強され、変形し難く、皺が生じ難くなる。よって、ウエストバンド８０の前端縁８０Ｆとファスニングテープ９０の前端縁９０Ｆの前後方向Ｌの間が変形することに起因してウエストバンド８０が股下側に引き下がることを抑制できる。よって、ウエストバンド８０によって臀部を覆い続けることができ、後漏れを抑制できる。
【００７０】
なお、腰回り弾性部材４５は、離間領域Ｒ１５の少なくとも一部に配置されていればよい。好適には、離間領域Ｒ１５に配置された腰回り弾性部材４５の幅方向Ｗの長さは、離間領域Ｒ１５の幅方向Ｗの長さの１／２以上であってよい。すなわち、各離間領域Ｒ１５において、離間領域Ｒ１５の幅方向Ｗの長さの１／２以上に亘って腰回り弾性部材４５が配置されてよい。また、離間領域Ｒ１５に配置された腰回り弾性部材４５の前後方向Ｌの長さは、離間領域Ｒ１５の前後方向Ｌの長さの１／２以上であってよい。すなわち、各離間領域Ｒ１５において、離間領域Ｒ１５の前後方向Ｌの長さの１／２以上に亘って腰回り弾性部材４５が配置されてよい。腰回り弾性部材４５によって離間領域Ｒ１５の剛性をより高め、ウエストバンド８０が股下側に引き下がることをより抑制でき、かつファスニングテープ９０との連動によってウエストバンド８０がより立ち上がり易くなる。本実施形態では、腰回り弾性部材４５が離間領域Ｒ１５の全域に配置されており、離間領域Ｒ１５の全域の変形を抑制できる。
【００７１】
補強シートとしての腰回り弾性部材４５は、少なくとも一部が幅方向Ｗに伸縮する伸縮性を有してよい。腰回り弾性部材４５が幅方向Ｗに伸縮することにより、装着時におけるファスニングテープ９０とウエストバンド８０の連動性を高めることができる。また、着用者が前屈姿勢の状態で腰回り弾性部材４５が伸びることで後胴回り域Ｓ２が身体に追従し、後胴回り域Ｓ２が身体にフィットし続けることができる。加えて、着用者において離間領域Ｒ１５が当てられる部分は、着用者の臀部の膨らみよりも上側であり、身体が凹んでいる部分である。また、離間領域Ｒ１５は、吸収コア３１が配置されてなく、身体との隙間が生じ易い。この隙間が生じやすい離間領域Ｒ１５の少なくとも一部が腰回り弾性部材４５によって収縮することにより、後胴回り域Ｓ２が身体にフィットし、身体とおむつの隙間が生じることを抑制できる。補強シートは、全域に亘って伸縮性を有していてもよい。なお、変形例において補強シートは、伸縮性を有していなくてもよい。
【００７２】
腰回り弾性部材４５は、ウエストバンド８０と厚さ方向Ｔにおいて重なってよい。腰回り弾性部材４５とウエストバンド８０がより連動し易くなり、装着時にファスニングテープ９０が引っ張られた際に、腰回り弾性部材４５を介してウエストバンド８０が連動して引っ張られ、ウエストバンド８０によるポケットをより形成し易くなる。
【００７３】
なお、腰回り弾性部材４５は、ウエストバンド８０の少なくとも一部と重なっていればよく、好適には、ウエストバンド８０の全域と重なってよい。ウエストバンド８０の幅方向Ｗの全域に亘って幅方向Ｗに引っ張られる力を伝達できる。また、ウエストバンド８０は、厚さ方向Ｔにおいて、肌面側シート２０及び腰回り弾性部材４５に対して着用者側に起立する。ウエストバンド８０の起立時のベース側の剛性が高くなり、ウエストバンド８０がより着用者側に立ち上がり易くなる。
【００７４】
また、腰回り弾性部材４５は、ファスニングテープ９０と厚さ方向Ｔにおいて重なっていてよい。装着時にファスニングテープ９０を引っ張った際に、幅方向Ｗの外側に引っ張る力が腰回り弾性部材４５にかかり易くなる。腰回り弾性部材４５を介してウエストバンド８０を連動して引っ張ることができ、ウエストバンド８０によるポケットをより形成し易くなる。なお、腰回り弾性部材４５は、ファスニングテープ９０のベース部９２の少なくとも一部と重なっていればよい。
【００７５】
腰回り弾性部材４５は、ファスニングテープ９０の前端縁９０Ｆよりも前側に延出してよい。ファスニングテープ９０よりも股下側の領域は、着用者の動き等によって力がかかり、変形し易い。ファスニングテープ９０よりも股下域側の領域においても、腰回り弾性部材４５によって剛性を高め、変形を抑制できる。
【００７６】
ウエストバンド８０と腰回り弾性部材４５が重なる領域の面積は、ファスニングテープ９０と腰回り弾性部材４５が重なる領域の面積よりも大きくてよい。ファスニングテープ９０は、厚さ方向Ｔにおいて腰回り弾性部材４５と同じ層に配置されており、ファスニングテープ９０と腰回り弾性部材４５は、比較的連動し易い。一方、ウエストバンド８０は、肌面側シート２０の肌対向面側に配置されており、厚さ方向Ｔにおいて腰回り弾性部材４５とずれて配置されている。ウエストバンド８０と腰回り弾性部材４５が重なる領域の面積を大きくすることにより、腰回り弾性部材４５とウエストバンド８０の連動性も高めることができる。
【００７７】
ファスニングテープ９０の後端縁９０Ｒとウエストバンド８０の前端縁８０Ｆとの距離は、ファスニングテープ９０の前端縁９０Ｆとウエストバンド８０の前端縁８０Ｆとの距離よりも短くてもよい。すなわち、ウエストバンド８０の前端縁８０Ｆは、ファスニングテープ９０の前後方向Ｌの中心（テープ配置領域の中心）よりも後側に位置する。ウエストバンド８０をウエスト開口６６側の近くに配置することで、臀部をより覆い易くなり、排泄物の漏れを抑制できる。また、離間領域Ｒ１５を腰回り弾性部材４５によって補強することができるため、ウエストバンド８０をウエスト開口６６側の近くに配置しても、ウエストバンド８０が股下側に引き下がることを抑制し、ウエストバンド８０によるポケットを臀部の上側に配置し続けることができる。
【００７８】
腰回り弾性部材４５は、厚さ方向Ｔにおいて脚回り弾性部材４２に重ならない領域に配置されてよい。脚回り弾性部材４２の収縮に起因して腰回り弾性部材４５がたくれることを抑制でき、腰回り弾性部材４５によって離間領域Ｒ１５の変形を抑制する効果をより得やすい。
【００７９】
腰回り弾性部材４５は、脚回り弾性部材４２の後端縁４２Ｒから前後方向Ｌに沿って後側に延びる領域に配置されてよい。脚回り弾性部材４２の後端縁から前後方向Ｌに沿って後側に延びる領域は、伸長状態で配置された脚回り弾性部材４２の後端縁４２Ｒ（非伸長状態で配置された脚回り弾性部材を含まない）から前後方向Ｌに沿って後側に延びる領域である。図１に伸長状態で配置された脚回り弾性部材４２の後端縁４２Ｒを示す。脚回り弾性部材４２の後端縁から後側に延びる領域は、脚回り弾性部材４２の収縮によって股下域側に引き下がり易い。脚回り弾性部材４２の後端縁４２Ｒから前後方向Ｌに沿って後方に延びる領域は、腰回り弾性部材４５によって補強され、股下域側へ引き下がり難くなる。ウエストバンド８０が股下側に引き下がることを抑制できる。よって、ウエストバンド８０によって臀部を覆い続けることができ、後漏れを抑制できる。
【００８０】
腰回り弾性部材４５は、ウエストバンド８０の基端縁と厚さ方向Ｔにおいて重なってよい。本実施形態では、腰回り弾性部材４５は、第１基端縁としてのサイド接合部８７の内側縁８７Ｉと、第２基端縁としての接合部８４の前端縁８４Ｆと、に重なっている。なお、腰回り弾性部材４５は、ウエストバンド８０の基端縁の少なくとも一部と重なっていればよく、好適には、ウエストバンド８０の基端縁の全域と重なってよい。装着時にファスニングテープ９０を引っ張った際に、腰回り弾性部材４５を介してウエストバンド８０の基端縁を連動して引っ張ることができる。ウエストバンド８０の基端縁が引っ張られることによってウエストバンド８０の起立部より立ち上がり易くなり、ウエストバンド８０によるポケットをより形成し易くなる。
【００８１】
腰回り弾性部材４５は、一方の離間領域Ｒ１５と他方の離間領域Ｒ１５を跨がって配置されてよい。１枚の腰回り弾性部材４５によって一方の離間領域Ｒ１５と他方の離間領域Ｒ１５の両方を補強できる。また、左右のファスニングテープ９０間の領域に、幅方向Ｗに連続する腰回り弾性部材４５が配置され、左右のファスニングテープ９０の連動性を高めることができる。よって、後胴回り域Ｓ２がより身体にフィットし、身体とおむつの隙間が生じることを抑制できる。
【００８２】
ウエストバンド８０は、防漏ギャザー６０の収縮部６３と厚さ方向Ｔにおいて重ならない領域に配置されてよい。収縮部６３の収縮に起因して腰回り弾性部材４５がたくれることを抑制でき、腰回り弾性部材４５によって離間領域Ｒ１５の変形を抑制する効果をより得やすい。
【００８３】
ウエストバンド８０の幅方向Ｗの引張荷重は、腰回り弾性部材４５の幅方向Ｗの引張荷重よりも低くてよい。装着時に幅方向Ｗの外側に引っ張られた際に、ウエストバンド８０が先に伸長し、次いで、腰回り弾性部材４５が伸長する。ウエストバンド８０が伸長し易く、より身体側に起立しやすい。よって、ウエストバンド８０が身体によりフィットし、後漏れをより抑制できる。
【００８４】
脚回り弾性部材４２の前後方向Ｌの引張荷重は、腰回り弾性部材４５の幅方向Ｗの引張荷重よりも低くてよい。テープ型のおむつを装着する際は、後胴回り域Ｓ２に着用者の背中を載せた状態で、着用者の両足の間に股下域を当てつつ前胴回り域を引っ張って、前胴回り域によって腹部を覆う。装着時におむつを引っ張った際に、脚回り弾性部材４２が先に伸長し、次いで、腰回り弾性部材４５が伸長する。脚回り弾性部材４２が伸長し易く、着用者の脚回りに対してよりフィットし易い。脚回り弾性部材４２を身体にフィットさせ、横漏れを抑制できる。
【００８５】
脚回り弾性部材４２の前後方向Ｌの引張荷重は、ウエストバンド８０の幅方向Ｗの引張荷重よりも低くてよい。装着時に脚回り弾性部材４２が伸長し易く、着用者の脚回りに対してよりフィットし、横漏れを抑制できる。また、ウエストバンド８０は、比較的引張荷重が高く、伸長し難い。よって、ウエストバンド８０は、脚回り弾性部材よりも伸長の程度が低くなり、その前後方向Ｌの位置がずれ難い。よって、脚回り弾性部材４２の伸長時にウエストバンド８０が股下側にずれることを抑制し、ウエストバンド８０の前後方向の位置を維持しつつ、脚回り弾性部材４２を脚回りにフィットできる。よって、横漏れ及び後漏れの両方を抑制できる。
【００８６】
ウエストバンド８０の幅方向Ｗの引張荷重、腰回り弾性部材４５の幅方向Ｗの引張荷重及び脚回り弾性部材４２の前後方向Ｌの引張荷重は、以下のように測定できる。使い捨ておむつコールドスプレーを用いて分解し、ウエストバンド８０と、腰回り弾性部材４５と、脚回り弾性部材４２と、を取り出し、試料を作成する。引張試験機（例えば、オリエンテック社製の「ＲＴＡ−１００」等）のチャック間に固定する。サンプルの初期状態の長さ）は、自然状態とする。そして、チャック間に固定したサンプルを、初期状態の長さに対して１．５倍の長さとなるまで伸長させ、そのときの荷重を、１．５倍伸長時の引張荷重とする。
【００８７】
使い捨ておむつ１０は、伸長状態における第１基端縁と吸収コア３１の幅方向Ｗの距離をＳとし、伸長状態における起立部の前後方向の長さをＹとすると、Ｓ≧Ｙを満たしてよい。図２に示すように、Ｓは、伸長状態におけるサイド接合部８７の内側縁８７Ｉと吸収コア３１の外側縁３１Ｅとの幅方向Ｗの距離である。図４に示すように、Ｙは、伸長状態における非接合部８５の前後方向の長さである。ウエストバンド８０の起立部となる非接合部８５は、接合部８４の前端縁８４Ｆ及びサイド接合部８７の内側縁８７Ｉに対して起立可能に構成されており、排泄物を収容する収容空間を形成する。このとき、サイド接合部８７と吸収コア３１の幅方向Ｗの距離Ｓが非接合部８５の前後方向Ｌの長さＹ以上であるため、吸収コア３１の外側縁３１Ｅに対して立ち上がる収容空間ＡＳの高さが接合部８４に対して立ち上がる収容空間ＡＳの高さ以上になるようにポケットを形成することが可能となる。よって、収容空間の外側縁が吸収コア３１の剛性によって立ち上がり難くならず、収容空間の全体が立ち上がり易くなり、収容空間を確保し易くなる。ウエストバンド８０によるポケットの収容区間を確保し、後漏れの発生を抑制することができる。
【００８８】
使い捨ておむつ１０は、伸長状態における吸収コア３１の後端縁と第２基端縁との前後方向の距離をＵとすると、Ｓ≦Ｙ＋Ｕを満たしてよい。図４に示すように、Ｕは、伸長状態における吸収コア３１の後端縁３１Ｒと接合部８４の前端縁８４Ｆとの前後方向Ｌの距離である。接合部８４の前端縁８４Ｆが吸収コア３１の後端縁３１Ｒよりも後側に位置するため、接合部８４の前端縁８４Ｆが吸収コア３１の後端縁３１Ｒに対して更に着用者側に立ち上がることがある。このとき、収容空間の立ち上がりの高さは、Ｙ＋Ｕとなる。Ｓによる収容空間の高さが、Ｙ＋Ｕによる収容空間の立ち上がりの高さ以下であることにより、Ｙ＋Ｕによる収容空間の立ち上がりの高さを抑えることができる。吸収コア３１と接合部８４の間の領域は、ウエストバンド８０の起立支点と吸収コア３１の間に位置し、前後方向の両側と比較して剛性が低く、変形し易い。Ｓ≦Ｙ＋Ｕを満たすことにより、Ｙ＋Ｕによる収容空間の立ち上がりの高さが高すぎることに起因して吸収コア３１と接合部８４の間の領域が変形することを抑制し、ポケットの収容空間を確保し易い。
【００８９】
使い捨ておむつ１０は、非接合部８５の前端縁８５Ｆが吸収コア３１の後端縁３１Ｒよりも前側に位置し、伸長状態における吸収コア３１の後端縁３１Ｒと起立部の前端縁の前後方向の距離をＶとすると、Ｖ≧Ｕを満たしてよい。図４に示すように、Ｖは、伸長状態における吸収コア３１の後端縁３１Ｒと非接合部８５の前端縁８５Ｆとの前後方向Ｌの距離である。ウエストバンドと吸収コアが重なる形態にあっては、伸長状態における吸収コア３１の後端縁３１Ｒと非接合部８５の前端縁８５Ｆとの前後方向Ｌの距離Ｖは、起立部において吸収コア３１が重なる領域の前後方向の長さとなる。起立部において吸収コア３１が重なる領域の前後方向の長さ（Ｖ）は、起立部において吸収コア３１が重ならない領域の前後方向の長さ（Ｕ）以上である。起立部において吸収コアが重なる領域では、吸収コアが重ならない領域と比較して、剛性が高い吸収コアが非肌対向面側に位置しており、着用者側により起立しやすい。Ｖ≧Ｕを満たすことにより、起立部がより立ち上がり易くなる。
【００９０】
また、変形例において、使い捨ておむつ１０は、非接合部８５の前端縁８５Ｆが吸収コア３１の後端縁３１Ｒよりも前側に位置し、Ｕ＞Ｖを満たしてよい。起立部において吸収コア３１が重ならない領域の前後方向Ｌの長さ（Ｕ）は、起立部において吸収コア３１が重なる領域の前後方向Ｌの長さ（Ｖ）よりも長い。すなわち、吸収コア３１の後端縁３１Ｒよりも後側に配置される起立部の前後方向Ｌの長さは、吸収コアの後端縁よりも前側に配置される起立部の前後方向の長さよりも長い。よって、吸収コア３１の後端縁３１Ｒよりも後側にウエストバンドのポケットを大きく形成できる。使用者は、ウエストバンド８０のポケットが吸収コアよりも後側に大きく配置されることを把握でき、後漏れに対する安心感を得ることができる。
【００９１】
伸長状態における吸収コア３１の後端縁３１Ｒと第２基端縁との間の領域（図４に示すＵの領域）には、補強シートが設けられてよい。本実施形態では、補強シートとしての腰回り弾性部材４５が配置されている。吸収コア３１の後端縁３１Ｒと接合部８４の前端縁８４Ｆ（第２基端縁）との間の領域の剛性を補強シートによって高め、起立部において吸収コアが重なる領域（図４に示すＶの領域）との剛性差を少なくできる。よって、起立部全体が立ち上がり易くなる。
【００９２】
また、非接合部８５の前端縁８５Ｆが吸収コア３１の後端縁３１Ｒよりも後側に位置する形態にあっては、Ｕ（伸長状態における吸収コア３１の後端縁３１Ｒと接合部８４の前端縁８４Ｆとの前後方向Ｌの距離）は、Ｙ（伸長状態における起立部の前後方向の長さ）＋Ｖ（伸長状態における吸収コア３１の後端縁３１Ｒと起立部の前端縁の前後方向の距離）となる。当該形態にあっては、ウエストバンドのポケット全体が吸収コアよりも後側に配置され、使用者は、後漏れに対する安心感をより得ることができる。
【００９３】
非接合部８５の前端縁８５Ｆが吸収コア３１の後端縁３１Ｒよりも後側に位置する形態においても、伸長状態における吸収コア３１の後端縁３１Ｒと第２基端縁との間の領域には、補強シートが設けられてよい。ウエストバンドよりも非肌面側の剛性を高め、ウエストバンドの立ち上がりを安定させることができる。
【００９４】
腰回り弾性部材４５は、吸収コア３１の後端縁３１Ｒと接合部８４の前端縁８４Ｆ（第２基端縁）との間の領域の少なくとも一部に配置されていればよく、好適には、吸収コア３１の後端縁３１Ｒと接合部８４の前端縁８４Ｆ（第２基端縁）との間の前後方向の全域に配置されてよい。また、腰回り弾性部材４５は、幅方向Ｑにおけるウエストバンド８０の全域に配置されてよい。幅方向における前記ウエストバンドの全域に亘って補強シートによって剛性を高め、ウエストバンドの幅方向の全域に亘って起立部が立ち上がり易くなる。
【００９５】
使い捨ておむつ１０は、接合部８４の前後方向の長さをＸとすると、Ｕ≦Ｘを満たしてよい。使い捨ておむつを寝た状態の着用者に装着する際は、後胴回り域Ｓ２を着用者の身体と寝具等の間に差し込むことがある。このとき、接合部８４の前後方向の長さが長いことにより、接合部８４の剛性が高くなり、起立部の起立支点となる接合部８４の前端縁８４Ｆのたくれを抑制できる。また、仮に接合部８４の前端縁８４Ｆがたくれた場合であっても、接合部８４の前後方向の長さが長いため、起立部の起立支点を確保し易い。よって、起立部の起点支点を維持し易く、ウエストバンド８０によるポケットの収容空間をより確保し易い。また、補強シートとしての腰回り弾性部材４５は、前後方向において起立部の起立支点となる接合部８４の前端縁８４Ｆを跨がって配置されてよい。起立部の起立支点となる接合部８４の前端縁８４Ｆのたくれを抑制できる。
【００９６】
折り返し部８６の前後方向Ｌの長さは、伸長状態において、非接合部８５の前後方向Ｌの長さよりも長くてよい。身体に接する折り返し部８６の前後方向の長さが、ポケットの収容空間を構成する非接合部８５の長さよりも長い。ウエストバンド８０が身体に接する面積を広く確保し、ウエストバンド８０の形状の安定性が向上し、ウエストバンド８０と身体との隙間が生じることを抑制できる。また、折り返し部８６の前後方向の長さを長くすることにより、折り返し部８６の収縮力を高くしても、単位長さ当たりの収縮力を抑えることができる。よって、折り返し部８６の着圧を抑え、装着感の悪化を抑制しつつウエストバンド８０の密着性を確保できる。
【００９７】
折り返し部８６の後端縁８６Ｒは、伸長状態において、係止配置領域Ｒ１３よりも後側に位置してよい。係止配置領域Ｒ１３は、着用された状態で身体に密着し易い。当該身体に密着する係止配置領域Ｒ１３よりもウエスト開口６６側に折り返し部８６が配置される。使用者は、ポケットがウエスト開口６６の近くに配置されることを把握でき、後漏れに対する安心感を得ることができる。
【００９８】
ウエストバンド８０のサイド接合部８７の内側縁８７Ｉは、防漏ギャザー６０の防漏基端縁６４よりも幅方向Ｗの外側に位置してよい。サイド接合部８７の内側縁８７Ｉは、起立部の収縮によって幅方向Ｗの内側に向かう力を受けやすい。サイド接合部８７の内側縁８７Ｉが防漏ギャザー６０の防漏基端縁６４よりも幅方向Ｗの外側に位置するため、ウエストバンド８０の収縮によって防漏基端縁６４が幅方向Ｗの内側に移動することを抑制できる。一対の防漏ギャザーによって挟む空間を広く設けることができ、横もれを抑制できる。
【００９９】
折り返し部８６の収縮力は、非接合部８５の収縮力よりも高くてよい。折り返し部８６の伸縮応力が比較的高いため、ウエストバンド８０の身体に対する密着性を確保できる。また、非接合部８５が設けられた領域の応力が比較的低いため、非接合部８５の応力が高いことによってポケットが身体から浮き上がりすぎる不具合を抑制し、身体とポケットの隙間が発生することを抑制できる。
【０１００】
接合部８４の収縮力は、起立部を構成する非接合部８５の収縮力よりも低くてよい。接合部８４の収縮力が低いため、接合部８４が非接合部８５よりも身体に密着し難い。接合部が身体に密着することによって、接合部８４と重ならない起立部が相対的に身体から離れる不具合を抑制できる。よって、起立部の身体に対する密着性を確保し易い。また、図６に示すように、折り返し部８６も非接合部８５と共に着用者側に立ち上がる。このとき、接合部８４と重ならない領域の折り返し部８６は、接合部８４と共に身体に密着せず、折り返し部８６の起立性を維持でき、ポケットの収容空間を確保できる。また、接合部８４と重なる領域の折り返し部８６においては、接合部８４と共に身体に密着し易く、身体に対する密着性を確保し易い。
【０１０１】
折り返し部８６の収縮力、接合部８４の収縮力及び非接合部８５の収縮力の測定には、（株）島津製作所製のオートグラフ型引張試験機（例えば、ＡＧ−１ＫＮ１）を用いることができる。まず、ウエストバンド８０の収縮作用による皺がなくなる程度にまで使い捨ておむつを伸長させた状態で、折り返し部８６の幅方向Ｗの寸法、接合部の８４の幅方向Ｗの寸法及び非接合部８５の幅方向Ｗの寸法を予め測定（初期寸法）した後に、ウエストバンド８０を切断し、折り返し部８６、接合部８４及び非接合部８５を切り出して、試料とした。
【０１０２】
次に、各試料の一方端を固定チャック、他方端を可動チャックに挟み、３００ｍｍ／ｍｉｎの速度で初期寸法の約９０％の大きさまで伸長させた後に反転させて、初期寸法の約７５％の大きさまで収縮させたときの引張荷重（Ｎ）を求めて、単位幅（ｍｍ）当たりの応力値（Ｎ／ｍｍ）に換算して収縮力とした。
【０１０３】
また、変形例において、折り返し部８６の後端縁８６Ｒは、伸長状態において、接合部８４の後端縁８４Ｒよりも前側に位置してよい。折り返し部８６の後端縁８６Ｒが接合部８４の後端縁８４Ｒよりも前側に位置することにより、製造時に折り返し部８６がずれた場合であっても、意図せずに折り返し部８６が切断されることを抑制できる。意図せずに折り返し部８６が切断されることによって、ウエストバンド８０の切断片が発生することを抑制できる。
【０１０４】
他の変形例において、ウエストバンド８０は、ファスニングテープ９０と厚さ方向Ｔにおいて重なっていてもよい。装着時にファスニングテープ９０を引っ張った際に、ウエストバンド８０を連動して引っ張ることができる。よって、ウエストバンド８０がより立ち上がり易くなり、ウエストバンド８０によるポケットをより形成し易くなる。
【０１０５】
次いで、第２実施形態に係る使い捨ておむつ１０Ｚについて、図７及び図８に基づいて説明する。図７は、第１実施形態における図４に対応した断面における断面図であり、図８は、第１実施形態における図５に対応した断面における断面図である。図７は、伸長状態を示しており、図８は、自然状態を示している。第２実施形態の使い捨ておむつ１０Ｚは、第１実施形態の使い捨ておむつ１０に対して、ウエストバンド８０の構成が異なる。第２実施形態の説明において、第１実施形態と同様の構成については、同符号を用いて説明を省略する。
【０１０６】
第２実施形態のウエストバンド８０Ｚは、接合部８４の後端縁において幅方向Ｗに延びる折り目ＦＬ１を基点に折り畳まれた折り返し部８６を有する。対向部８３は、接合部８４のみが設けられている。接合部８４の前側には、第１実施形態の非接合部が設けられていない。なお、第２実施形態の変形例において、接合部８４の前側に非接合部が設けられていてもよい。ウエストバンド８０Ｚは、対向部８３に対して折り返し部８６が起立可能に構成されている。折り返し部８６は、本発明の起立部を構成し、折り目ＦＬ１は、本発明の第２基端縁を構成する。また、折り返し部８６の外側部は、肌面側シート２０又は対向部８３に対して第２接合部を介して接合されている。第２接合部の平面視の位置は、第１実施形態と同様である。ウエストバンド８０Ｚの折り返し部８６と肌面側シート２０とによって挟まれた収容空間ＡＳ及び折り返し部８６と対向部８３とによって挟まれた収容空間ＡＳによって、前側に向かって開口するポケットを形成している。ウエストバンド８０Ｚでは、折り返し部８６が折り目ＦＬ１を基点に立ち上がり可能であり、更に対向部８３が接合部８４の前端縁８４Ｆを基点に立ち上がり可能である。
【０１０７】
図７に示すように、第２実施形態における伸長状態における起立部の前後方向の長さＹは、折り返し部８６の前後方向Ｌの長さである。第２実施形態における伸長状態における吸収コアの後端縁と第２基端縁との前後方向の距離Ｕは、吸収コア３１の後端縁３１Ｒと折り目ＦＬ１との前後方向の距離である。第２実施形態における吸収コアの後端縁と起立部の前端縁の前後方向の距離Ｖは、吸収コア３１の後端縁３１Ｒと折り返し部８６の前端縁８６Ｆの前後方向の距離である。第２実施形態に係る使い捨ておむつにおいても、Ｓ≧Ｙを満たしてよいし、Ｓ≦Ｙ＋Ｕを満たしてよいし、Ｖ≧Ｕを満たしてよいし、Ｕ≦Ｘを満たしてよい。なお、第２実施形態における第１基端縁と吸収コアの幅方向Ｗの距離Ｓは、第１実施形態の距離Ｓと同様である。
【０１０８】
なお、第２実施形態に係るウエストバンド８０Ｚは、折り返し部８６の前端縁を基点に肌面側シート２０から離れる側に更に折り畳まれていてもよい。折り返し部８６の前端縁を基点に折り畳まれた部分は、第１実施形態の折り返し部のように、身体に対して密着し易い。よって、ウエストバンド８０Ｚの身体に対する密着性を確保し、後漏れをより抑制できる。
【０１０９】
第２実施形態に係るウエストバンド８０Ｚの前端縁８０Ｆは、折り返し部８６の前端縁８６Ｆによって構成されている。よって、離間領域Ｒ１５の前後方向の範囲は、ファスニングテープ９０の前端縁と、折り返し部８６の前端縁８６Ｆと、の間となる。図示しないが、ファスニングテープ９０の前端縁は、折り返し部８６の前端縁８６Ｆよりも前側に位置している。また、腰回り弾性部材４５は、折り返し部８６の前端縁８６Ｆよりも前側に延びている。よって、第２の実施形態においても、腰回り弾性部材４５によって離間領域Ｒ１５の剛性を高め、離間領域Ｒ１５の変形を抑制することができる。よって、ウエストバンド８０Ｚが股下域Ｓ３側に変形することを抑制し、臀部を覆い続けることができ、後漏れを抑制できる。また、折り返し部８６の外側部は、第２接合部を介して肌面側シート２０に接合されている。よって、装着時にファスニングテープ９０が幅方向Ｗの外側に引っ張られた際に、腰回り弾性部材４５及び肌面側シート２０を介してウエストバンド８０Ｚの外側部が引っ張られ、ウエストバンドが肌面側シート２０から浮き上がり易くなる。ウエストバンド８０Ｚによるポケットを形成し易くなる。
【０１１０】
また、好適には、腰回り弾性部材４５は、前後方向におけるファスニングテープ９０の前端縁とウエストバンド８０Ｚの対向部の前端縁との間、かつ、幅方向Ｗにおけるファスニングテープ９０の内側縁と吸収コアの外側縁の間である第２離間領域Ｒ１６に配置されてよい。離間領域Ｒ１５と第２離間領域Ｒ１６は、幅方向Ｗの範囲が同じであり、前後方向の範囲が異なる。図７において、離間領域Ｒ１５と第２離間領域Ｒ１６の前後方向の範囲を示す。第２離間領域Ｒ１６に腰回り弾性部材４５を配置することによって、ウエストバンド８０Ｚの対向部よりも前側の領域の剛性を高め、対向部が股下側に引き下がることを抑制できる。よって、ウエストバンド８０Ｚによって臀部を覆い続けることができ、後漏れを抑制できる。
【０１１１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【０１１２】
本発明によれば、ウエストバンドによるポケットの収容区間を確保し、後漏れの発生を抑制できる使い捨ておむつを提供できる。
【符号の説明】
【０１１３】
１０、１０Ｚ        ：使い捨ておむつ
１０Ｆ      ：使い捨ておむつの前端縁
１０Ｒ      ：使い捨ておむつの後端縁
２０        ：肌面側シート
２１        ：表面シート
２２        ：サイドシート
２３        ：裏面シート
２４        ：外装シート
２５        ：非肌面側シート
３１        ：吸収コア
３１Ｒ      ：吸収コアの後端縁
４２        ：レッグ弾性部材
４５        ：腰回り弾性部材（補強シート）
４５Ｆ      ：腰回り弾性部材の前端縁
４５Ｒ      ：後端縁
６０        ：防漏ギャザー
６１        ：防漏弾性部材
６５        ：脚回り開口部
６６        ：ウエスト開口
８０、８０Ｚ    ：ウエストバンド
８０Ｆ  ：ウエストバンドの前端縁
８０Ｒ  ：ウエストバンドの後端縁
８１        ：シート層
８１１      ：第１不織布層
８１２      ：第２不織布層
８１３      ：フィルム層
８２        ：バンド弾性部材
８３        ：対向部
８３Ｆ      ：対向部の前端縁
８３Ｒ      ：対向部の後端縁
８４        ：接合部
８４Ｆ      ：接合部の前端縁（第２基端縁）
８４Ｒ      ：接合部の後端縁
８５        ：非接合部（起立部）
８５Ｆ      ：非接合部の前端縁
８５Ｒ      ：非接合部の後端縁
８６        ：折り返し部
８６Ｒ      ：折り返し部の後端縁
８７        ：サイド接合部
８７Ｉ        ：サイド接合部の内側縁（第１基端縁）
９０        ：ファスニングテープ
９０Ｆ      ：ファスニングテープの前端縁
９０Ｒ      ：ファスニングテープの後端縁
９２        ：ベース部
９３        ：係止部
９３Ｆ      ：係止部の前端縁
９３Ｒ      ：係止部の後端縁
９５        ：ターゲット部
ＦＬ、ＦＬ１        ：折り目
Ｒ１１      ：テープ配置領域
Ｒ１２      ：ウエスト開口領域
Ｒ１２ＣＬ  ：ウエスト開口領域の前後方向の中心
Ｒ１３      ：係止配置領域
Ｒ１４      ：ウエスト領域
Ｒ１４ＣＬ  ：ウエスト領域の前後方向の中心
Ｒ１５      ：離間領域
Ｒ１６      ：第２離間領域
ＡＳ          ：収容空間
Ｓ１        ：前胴回り域
Ｓ２        ：後胴回り域
Ｓ３        ：股下域
Ｔ          ：厚さ方向
Ｔ１        ：肌対向面側
Ｔ２        ：非肌対向面側
Ｌ          ：前後方向
Ｗ          ：幅方向
【図１】
2020000748.tif 000003
【図２】
2020000748.tif 000004
【図３】
2020000748.tif 000005
【図４】
2020000748.tif 000006
【図５】
2020000748.tif 000007
【図６】
2020000748.tif 000008
【図７】
2020000748.tif 000009
【図８】
2020000748.tif 000010